(57)【要約】【課題】締め操作後において割勘金額を顧客が望む金額単位で迅速に顧客に提示し、割勘に対してスムーズな精算を行う。【解決手段】設定フラグメモリに丸め処理を切り捨て方式で行うことを設定し、割勘丸め金額単位設定メモリに割勘(1)キーが１００未満を丸め処理することを設定した状態で、現計キーで締め操作を行った後、テンキーで割勘対象人数を入力して、例えば、割勘(1)キーを操作すると、合計金額を割勘対象人数で割って得られた結果の１００円未満を切り捨てて割勘額を求め、割勘額メモリに格納する。さらに、合計金額−割勘額×（人数−１）の演算を行って幹事支払額を求め、幹事支払額メモリに格納する。そして、プリンタによりレシート用紙に合計金額、人数、割勘額、幹事支払額を印字して割勘明細書を発行する。顧客は割勘明細書で自己の支払額を確認する。【選択図】      図８
2008097292.tif 000002
【特許請求の範囲】
【請求項１】
販売データをメモリに格納し、支払い合計金額をディスプレイに表示した後、締め操作によって販売データを印字したレシートを発行する販売データ処理装置において、
割勘丸め金額単位を指定する指定手段と、
丸目処理を切り上げ、切り捨て、四捨五入のいずれの方式で行うか設定した丸め処理設定手段と、
割勘人数を入力する入力手段と、
締め操作後において、前記入力手段にて割勘人数の入力が行われ、前記指定手段にて割勘丸め金額単位の指定が行われると、支払い合計金額から、割勘人数、前記丸め処理設定手段にて設定した丸め方式に基づいて割勘額を指定された割勘丸め金額単位で算出して割勘額メモリに格納する割勘額算出手段と、
支払い合計金額と前記割勘額メモリに格納された割勘額と割勘人数よりも1人少ない人数から、特定の1人が支払うべき金額を算出して支払額メモリに格納する特定支払額算出手段と、
支払い合計金額、割勘人数、割勘額、特定支払額をレシート用紙に印字して割勘明細を発行する発行手段と、
を備えたことを特徴とする販売データ処理装置。
【発明の詳細な説明】
【技術分野】
【０００１】
本発明は、飲食店等で使用される販売データ処理装置に関する。
【背景技術】
【０００２】
飲食店等ではグループで来店して飲食が行われ、最後に精算所にて精算が行われるシステムになっている。そして、精算所にて精算するときに、支払い合計に対してグループ人数で割勘したいとの申し出があると、店側では何らかの方法で割勘額を求めて顧客に提示することを行っている。従来、このような割勘の申し出に対処できる販売データ処理装置として、割勘処理機能を持たせ、割勘で支払う金額に対し割勘を行う顧客人数を入力し、顧客1人ずつ割勘キーを操作して割勘の精算を行ってレシートを発行するというものが知られている（例えば、特許文献１参照）。
【特許文献１】特願２００４−３４８３６４号公報
【発明の開示】
【発明が解決しようとする課題】
【０００３】
しかし、特許文献１記載のものは、顧客1人ずつ割勘キーを操作してレシートを発行しているため精算に時間が掛かるという問題があった。ところで、グループで来店し最後に支払うときには、顧客に発行するレシートは幹事あるいは会計を務める1人に手渡す１枚でよく、単に割勘金額のみを知りたいのが大半である。このような場合に、グループの全員に割勘のレシートを発行することは不要であり、むしろ、迅速な精算が要求される。
【０００４】
本発明は、このような課題を解決するために為されたもので、締め操作後において割勘金額を顧客が望む金額単位で迅速に顧客に提示でき、割勘に対してスムーズな精算ができる販売データ処理装置を提供する。
【課題を解決するための手段】
【０００５】
本発明は、販売データをメモリに格納し、支払い合計金額をディスプレイに表示した後、締め操作によって販売データを印字したレシートを発行する販売データ処理装置において、割勘丸め金額単位を指定する指定手段と、丸目処理を切り上げ、切り捨て、四捨五入のいずれの方式で行うか設定した丸め処理設定手段と、割勘人数を入力する入力手段と、締め操作後において、入力手段にて割勘人数の入力が行われ、指定手段にて割勘丸め金額単位の指定が行われると、支払い合計金額から、割勘人数、丸め処理設定手段にて設定した丸め方式に基づいて割勘額を指定された割勘丸め金額単位で算出して割勘額メモリに格納する割勘額算出手段と、支払い合計金額と割勘額メモリに格納された割勘額と割勘人数よりも1人少ない人数から、特定の1人が支払うべき金額を算出して支払額メモリに格納する特定支払額算出手段と、支払い合計金額、割勘人数、割勘額、特定支払額をレシート用紙に印字して割勘明細を発行する発行手段を備えた販売データ処理装置にある。
【発明の効果】
【０００６】
本発明によれば、締め操作後において割勘金額を顧客が望む金額単位で迅速に顧客に提示でき、割勘に対してスムーズな精算ができる販売データ処理装置を提供できる。
【発明を実施するための最良の形態】
【０００７】
以下、本発明の一実施の形態を、図面を参照して説明する。  
図１は販売データ処理装置の外観を示す斜視図で、筐体１の前面にキーボード２、レシート発行口３、ドロワ４を配置している。前記レシート発行口３の内部には後述するプリンタが収納されている。
【０００８】
また、前記筐体１の天部に大形のオペレータ用ディスプレイ５を左右に回動自在に配置し、そのディスプレイ５の天部に小形の客用ディスプレイ６を左右に回動自在に配置している。
【０００９】
図２は販売データ処理装置の制御部の要部構成を示すブロック図で、１１は制御部の本体を構成するＣＰＵ（中央処理ユニット）、１２は前記ＣＰＵ１１が各部を制御し、また、データを演算するのに必要なプログラムデータが格納されたＲＯＭ（リード・オンリー・メモリ）、１３は各種メモリを設けたＲＡＭ（ランダム・アクセス・メモリ）、１４は装置が処理した全てのデータを記録する電子ジャーナル、１５は年月日時分を計時する時計部、１６はＬＡＮ等を経由して上位機器と通信を行う通信コントローラである。前記電子ジャーナル１４は、例えば、ハードディスクを使用している。
【００１０】
１７は前記キーボード２を制御し、このキーボード２からキー信号を取り込むキーボードコントローラ、１８は前記オペレータ用ディスプレイ５を制御し、このディスプレイ５にオペレータ用に加工した表示データを表示させる表示コントローラ、１９は前記客用ディスプレイ６を制御し、このディスプレイ６に客用に加工した表示データを表示させる表示コントローラ、２０はプリンタ２１を制御し、このプリンタ２１に印字データを出力しレシート用紙に印字を行わせるプリンタコントローラである。
【００１１】
前記ＣＰＵ１１、ＲＯＭ１２、ＲＡＭ１３、電子ジャーナル１４、時計部１５及び各コントローラ１６，１７，１８，１９，２０は互いにバスライン２２によって電気的に接続されている。
【００１２】
図３に示すように、前記キーボード２は、置数入力に使用するテンキー３１、置数入力をクリアするのに使用するクリアキー３２、商品コード入力に使用するＰＬＵキー３３、販売商品の単品に対応して設けた複数の単品キー３４、合計金額の算出に使用する小計キー３５、締め操作に使用する現計キー３６等販売データの処理に必要な各種キーを設けている。また、前記キーボード２は、割勘の丸め金額単位を選択する割勘(1)キー３７ａ，割勘(2)キー３７ｂ，割勘(3)キー３７ｃを設けている。
【００１３】
前記ＲＯＭ１２の一部をＥＰＲＯＭで構成し、そのＥＰＲＯＭの一部に図４に示すように、割勘時の丸め処理を、切り上げ、切り捨て、四捨五入のいずれの方式で行うかを予め設定する丸め処理設定手段等を構成する設定フラグメモリ１２１を形成すると共に、割勘の丸め金額単位を前記各割勘キー３７ａ，３７ｂ，３７ｃに対応して予め設定する割勘丸め金額単位設定メモリ１２２を形成している。
【００１４】
この実施の形態では、前記設定フラグメモリ１２１に対しては切り捨てのフラグに「１」をセットしている。また、前記割勘丸め金額単位設定メモリ１２２には、割勘(1)キー３７ａに対応して「１００円」、割勘(2)キー３７ｂに対応して「５００円」、割勘(3)キー３７ｃに対応して「１，０００円」が設定されている。
【００１５】
図５に示すように、前記ＲＡＭ１３には、販売データを商品別、部門別、取引別等に分類して登録する登録用メモリ１３１、データの演算に使用する演算用メモリ１３２、表示データの格納用に使用される表示バッファメモリ１３３、プリントデータの格納用に使用されるプリントバッファメモリ１３４を設けている。前記登録用メモリ１３１はバッテリによってバックアップされており、装置の電源がダウンされてもデータを保持できるようになっている。
【００１６】
また、前記ＲＡＭ１３には、１取引の合計額を格納する合計額メモリ１３５、割勘対象人数を格納する人数メモリ１３６、算出された割勘額を格納する割勘額メモリ１３７、合計額から割勘額の合計を差し引いた金額を幹事支払額として格納する幹事支払額メモリ１３８、前記各割勘キー３７ａ，３７ｂ，３７ｃのいずれが操作されたかをフラグで記憶する割勘キーフラグメモリ１３９を設けている。
【００１７】
前記各割勘キー３７ａ，３７ｂ，３７ｃ、割勘丸め金額単位設定メモリ１２２及び割勘キーフラグメモリ１３９は、割勘の丸め金額単位を指定する指定手段を構成している。
【００１８】
例えば、飲食店では、顧客が商品を注文する毎に請求伝票に商品名と数量が記載され、精算時に顧客はその請求伝票を持参して販売データ処理装置を配置した会計場所へ行き、精算を行う。
【００１９】
販売データ処理装置では、オペレータが顧客から精算伝票を受け取ると、精算伝票に記載されている商品とその数量をキーボード２の置数キー３１、ＰＬＵキー３３、単品キー３４等を操作して入力する。入力されたデータは販売データとして登録用メモリ１３１に登録されると共に電子ジャーナル１４に記録される。また、プリンタ２１によりレシート用紙に印字される。そして、精算伝票に記載されている全ての商品の入力を終了すると、オペレータは小計キー３５を操作する。
【００２０】
小計キー３５の操作が行われると、ＣＰＵ１１は、プログラムデータに基づいて図６に示すように、Ｓ１にて、商品の登録があるかをチェックし、あれば小計キー３５の操作が有効であると判断し、Ｓ２にて、登録された全ての商品とその数量に基づく合計金額を算出し、オペレータ用ディスプレイ５及び客用ディスプレイ６の両方に表示する。
【００２１】
このとき、顧客から割勘支払いの申し出があると、一旦締め操作を行う。すなわち、現計キー３６を操作する。現計キー３６の操作が行われると、ＣＰＵ１１は、プログラムデータに基づいて図７に示すように、Ｓ１１にて、商品の登録があるかをチェックし、あれば現計キー３６の操作が有効であると判断し、Ｓ１２にて、合計金額に基づく取引別登録やレシートの発行等の締め処理を行う。
【００２２】
続いて、オペレータは顧客から割勘対象人数と割勘丸め金額単位を１００円、５００円、１，０００円のいずれにするかを聞き、テンキー３１で人数を入力した後、割勘キー２７ａ，２７ｂ，２７ｃを選択操作する。
【００２３】
割勘キーの操作が行われると、ＣＰＵ１１は、プログラムデータに基づいて図８に示すように、Ｓ２１にて、テンキー３１による置数入力があるかをチェックし、あれば割勘キー３７ａ，３７ｂ，３７ｃの操作が有効であると判断し、続いて、Ｓ２２にて、操作された割勘キーが、割勘(1)キー３７ａか、割勘(2)キー３７ｂか、割勘(3)キー３７ｃかを判断する。
【００２４】
割勘(1)キー３７ａを判断すると、Ｓ２３にて、割勘キーフラグメモリ１３９の割勘(1)キーフラグを「１」にする。そして、置数入力を割勘対象人数として人数メモリ１３６に格納する。また、割勘(2)キー３７ｂを判断すると、Ｓ２４にて、割勘キーフラグメモリ１３９の割勘(2)キーフラグを「１」にする。そして、置数入力を割勘対象人数として人数メモリ１３６に格納する。また、割勘(3)キー３７ｃを判断すると、Ｓ２５にて、割勘キーフラグメモリ１３９の割勘(3)キーフラグを「１」にする。そして、置数入力を割勘対象人数として人数メモリ１３６に格納する。
【００２５】
続いて、Ｓ２６にて、設定されている丸め処理方式が、切り上げ、切り捨て、四捨五入のいずれの方式になっているかを設定フラグメモリ１２１のフラグによって判断する。丸め処理方式が切り捨てになっていれば、Ｓ２７にて、合計金額を割勘対象人数で割り、その値に対して割勘丸め金額単位未満を切り捨て、その値を割勘額として割勘額メモリ１３７に格納する。
【００２６】
また、丸め処理方式が四捨五入になっていれば、Ｓ２８にて、合計金額を割勘対象人数で割り、その値に対して割勘丸め金額単位未満を四捨五入し、その値を割勘額として割勘額メモリ１３７に格納する。また、丸め処理方式が切り上げになっていれば、Ｓ２９にて、合計金額を割勘対象人数で割り、その値に対して割勘丸め金額単位未満を切り上げ、その値を割勘額として割勘額メモリ１３７に格納する。
【００２７】
続いて、Ｓ３０にて、合計金額、割勘額、人数を使用して、合計金額−割勘額×（人数−１）の演算を行って幹事支払額を算出し、幹事支払額メモリ１３８に格納する。そして、Ｓ３１にて、プリンタ２１により日付と共に合計金額、人数、割勘額、幹事支払額をレシート用紙に印字し、割勘明細書を発行する。最後に、Ｓ３２にて、割勘キーフラグメモリ１３９のフラグをリセットして割勘キー処理を終了する。
【００２８】
このような構成においては、例えば、精算伝票に記載されている全ての商品の入力を終了し、小計キー３５を操作することによってオペレータ用ディスプレイ５及び客用ディスプレイ６に合計金額「３９，７６５円」が表示され、この状態で顧客から８名の割勘にしたいとの申し出があると、オペレータは現計キー３６を操作して締めを行う。これにより、精算伝票に記載されている全ての商品について商品名、単価、数量、金額が印字され、さらに合計金額が印字されたレシートが発行される。
【００２９】
また、割勘丸め金額単位を１００円にすることを顧客に対して確認すると、オペレータは、テンキー３１を操作して人数「８」を入力し、割勘(1)キー３７ａを操作する。割勘(1)キー３７ａの操作により、割勘キーフラグメモリ１３９の割勘(1)キーフラグを「１」にセットし、人数メモリ１３６に「８」が格納される。
【００３０】
丸め処理方式として切り捨てが予め設定されていると、３９，７６５円を８名で割り算し、さらに、１００円未満を切り捨てることで、割勘額「４，９００円」を求め、割勘額メモリ１３７に格納される。こうして、幹事となる1人を除いた７名の割勘額が得られる。また、３９，７６５円−（４，９００円×７名）によって、幹事支払額「５，４６５円」を求め、幹事支払額メモリ１３８に格納される。
【００３１】
そして、プリンタ２１によって、レシート用紙に、割勘明細書、年月日日時、すでに発行したレシート番号を印字し、さらに、合計金額ａ、人数ｂ、割勘額ｃ、幹事支払額ｄを印字した図９に示す割勘明細書を発行する。  
割勘明細書を受け取った顧客の代表あるいは幹事は、他の７名から４，９００円ずつ受け取り、支払いを行うことになる。
【００３２】
このように、現計キー３６の操作によって締めを行った後は、テンキー３１で割勘対象人数を入力し、割勘丸め金額単位を指定する割勘キー３７ａ〜３７ｃを選択操作するのみで、代表（幹事）以外の顧客の割勘額と、代表（幹事）の支払額が印字された割勘明細書が発行されるので、割勘金額を顧客が望む金額単位で迅速に顧客に提示できる。そして、顧客はこの割勘明細書を見ることで支払いに迅速に対処することができ、割勘に対するスムーズな精算ができる。
【００３３】
なお、ここでは丸め処理方式として１００円未満を切り捨てる切り捨て方式を採用した場合を例として述べたが、例えば、１００円未満を切り上げる切り上げ方式を採用したときには、割勘額は「５，０００円」になり、幹事支払額は「４，７６５円」となる。このときに発行される割勘明細書は図１０に示すようになる。また、１００円未満を四捨五入する四捨五入方式を採用したときには、１００円未満の値が５０円以上になるか否かによって変化し、上記した例の場合は、切り上げした場合と同様、割勘額は「５，０００円」になり、幹事支払額は「４，７６５円」となる。
【００３４】
なお、この実施の形態では、小計キー３５に続いて現計キー３６を操作して締めを行ったが、代表（幹事）の人が一旦支払いを行ってからグループの他のメンバーから割勘額を集める場合は、小計キー３５の後テンキー３１によって預かり金額を入力した後現計キー３６を操作して締めを行うことになる。このときには、つり銭があればつり銭を算出してディスプレイ５，６に表示すると共に発行するレシートに預かり金額、つり銭も印字されることになる。
【図面の簡単な説明】
【００３５】
【図１】本発明の一実施の形態における販売データ処理装置の外観を示す斜視図。
【図２】同販売データ処理装置の制御部の要部構成を示すブロック図。
【図３】同販売データ処理装置のキーボードの主なキー配置を示す図。
【図４】同販売データ処理装置の設定フラグメモリ及び金額単位設定メモリの設定例を示す図。
【図５】同販売データ処理装置のＲＡＭに形成された主なメモリを示す図。
【図６】同販売データ処理装置のＣＰＵによる小計キー処理を示す流れ図。
【図７】同販売データ処理装置のＣＰＵによる現計キー処理を示す流れ図。
【図８】同販売データ処理装置のＣＰＵによる割勘キー処理を示す流れ図。
【図９】同販売データ処理装置が発行する割勘明細書例を示す図。
【図１０】同販売データ処理装置が発行する他の割勘明細書例を示す図。
【符号の説明】
【００３６】
１１…ＣＰＵ（中央処理ユニット）、１２…ＲＯＭ（リード・オンリー・メモリ）、３１…テンキー、３５…小計キー、３６…現計キー、３７ａ，３７ｂ，３７ｃ…割勘キー、１２１…設定フラグメモリ、１２２…割勘丸め金額単位設定メモリ、１３５…合計額メモリ、１３６…人数メモリ、１３７…割勘額メモリ、１３８…幹事支払額メモリ、１３９…割勘キーフラグメモリ。
【図１】
2008097292.tif 000003
【図２】
2008097292.tif 000004
【図３】
2008097292.tif 000005
【図４】
2008097292.tif 000006
【図５】
2008097292.tif 000007
【図６】
2008097292.tif 000008
【図７】
2008097292.tif 000009
【図８】
2008097292.tif 000010
【図９】
2008097292.tif 000011
【図１０】
2008097292.tif 000012